【手続補正書】
【提出日】平成31年2月13日(2019.2.13)
【手続補正１】
【補正対象書類名】明細書
【補正対象項目名】００１１
【補正方法】変更
【補正の内容】
【００１１】
１つの態様では、印刷装置は、被印刷媒体における印刷が行われて印刷物となる領域の複数の角の少なくとも一部をカットするカット装置と、前記カットがなされる前の前記被印刷媒体を前記カット装置に搬送する搬送装置と、を備える。
【手続補正２】
【補正対象書類名】明細書
【補正対象項目名】００１２
【補正方法】変更
【補正の内容】
【００１２】
別の１つの態様では、印刷装置は、粘着面を有し前記粘着面と対向する面に印刷が行われる基材と前記粘着面を覆う剥離可能な剥離紙とを有する被印刷媒体を搬送方向に搬送する搬送装置と、前記被印刷媒体のうち前記基材のみを、前記被印刷媒体の前記搬送方向に直交する幅方向における全体に亘って切断するハーフカットを行う第１カット装置と、前記被印刷媒体のうち少なくとも前記剥離紙を、前記被印刷媒体のうち前記ハーフカットが行われる位置に対して前記搬送方向における同じ位置において、前記被印刷媒体の前記幅方向における一部分を切断する部分カットを行う第２カット装置と、を備える。
【手続補正３】
【補正対象書類名】明細書
【補正対象項目名】００１３
【補正方法】変更
【補正の内容】
【００１３】
別の１つの態様では、印刷装置の印刷方法は、前記印刷装置は、被印刷媒体における印刷が行われて印刷物となる領域の複数の角の少なくとも一部をカットするカット装置を備え前記カットがなされる前の前記被印刷媒体を前記カット装置に搬送する搬送ステップと、前記搬送ステップにより搬送された前記被印刷媒体の前記印刷物となる領域に対して、前記カット装置により前記カットを行うカットステップと、を含む。
【手続補正４】
【補正対象書類名】特許請求の範囲
【補正対象項目名】全文
【補正方法】変更
【補正の内容】
【特許請求の範囲】
【請求項１】
被印刷媒体における印刷が行われて印刷物となる領域の複数の角の少なくとも一部をカットするカット装置と、
前記カットがなされる前の前記被印刷媒体を前記カット装置に搬送する搬送装置と、
を備えることを特徴とする印刷装置。
【請求項２】
前記被印刷媒体は、粘着面を有し前記粘着面と対向する面に前記印刷が行われる基材と、前記粘着面を覆う剥離可能な剥離紙と、を有し、
前記カット装置は、前記被印刷媒体のうち前記基材のみにトリムカットを行う、
ことを特徴とする請求項１記載の印刷装置。
【請求項３】
前記搬送装置は、前記被印刷媒体を搬送方向に搬送し、
前記印刷装置は、前記被印刷媒体における、前記搬送方向に直交する幅方向の一部分を切断する部分カットを行う部分カット装置備え、
前記部分カット装置は、前記被印刷媒体における、前記トリムカットが行われる位置に対して前記搬送方向において同じ位置において、前記部分カットとして、少なくとも、前記被印刷媒体の前記幅方向のうち前記トリムカットが行われる領域を除く領域の全体を切断する、
ことを特徴とする請求項２記載の印刷装置。
【請求項４】
前記搬送装置は、前記被印刷媒体を搬送方向に搬送し、
前記被印刷媒体は、粘着面を有し前記粘着面と対向する面に前記印刷が行われる基材と、前記粘着面を覆う剥離可能な剥離紙と、を有し、
前記印刷装置は、前記被印刷媒体のうち前記基材のみを切断するハーフカット装置を備え、
前記カット装置は、前記被印刷媒体における、前記ハーフカットが行われる位置に対して前記搬送方向において同じ位置においてトリムカットを行う、
ことを特徴とする請求項１記載の印刷装置。
【請求項５】
前記搬送装置、前記カット装置及び前記ハーフカット装置を制御する制御部を更に備え、
前記制御部は、前記被印刷媒体の前記搬送方向における互いに同じ位置において前記被印刷媒体に前記ハーフカット及び前記トリムカットを行うことで連続的に前記印刷物を作成する途中で前記トリムカットを行わない設定がされた場合に、前記被印刷媒体のうち、最後に前記トリムカットを行う設定がされた前記印刷物である第１の印刷物の次に作成される前記印刷物である第２の印刷物となる領域に前記トリムカットが行われないように、前記被印刷媒体のうち前記第１の印刷物となる領域と前記第２の印刷物となる領域との間に余白部分を形成するように制御する、
ことを特徴とする請求項４記載の印刷装置。
【請求項６】
前記搬送装置は、前記被印刷媒体を搬送方向に搬送し、
前記カット装置は、前記印刷媒体の搬送方向に直交する幅方向において互いに対向して配置され、前記幅方向における相互の間隔が可変に設けられて、前記被印刷媒体にトムカットを行う一対のトリムカッタを有し、
前記印刷装置は、前記一対のトリムカッタのうち少なくとも一方を移動させ、前記一対のトリムカッタの前記幅方向における間隔を前記印刷媒体の前記幅方向の長さに応じて変更する駆動機構を更に備える、
ことを特徴とする請求項１から５のいずれか１項に記載の印刷装置。
【請求項７】
粘着面を有し前記粘着面と対向する面に印刷が行われる基材と前記粘着面を覆う剥離可能な剥離紙とを有する被印刷媒体を搬送方向に搬送する搬送装置と、
前記被印刷媒体のうち前記基材のみを、前記被印刷媒体の前記搬送方向に直交する幅方向における全体に亘って切断するハーフカットを行う第１カット装置と、
前記被印刷媒体のうち少なくとも前記剥離紙を、前記被印刷媒体のうち前記ハーフカットが行われる位置に対して前記搬送方向における同じ位置において、前記被印刷媒体の前記幅方向における一部分を切断する部分カットを行う第２カット装置と、
を備えることを特徴とする印刷装置。
【請求項８】
前記被印刷媒体における、前記ハーフカットが行われた位置に対して前記搬送方向において同じ位置の、前記ハーフカットにより形成された複数の角の少なくとも一部をカットする第３カット装置を備える、
ことを特徴とする請求項７記載の印刷装置。
【請求項９】
前記搬送装置は、前記カットがなされる前の前記被印刷媒体を前記カット装置に搬送する、
ことを特徴とする請求項８記載の印刷装置。
【請求項１０】
前記カット装置は、前記被印刷媒体のうちの前記基材のみにトリムカットを行う、
ことを特徴とする請求項８記載の印刷装置。
【請求項１１】
前記トリムカット装置は、前記印刷媒体の前記搬送方向に直交する幅方向において互いに対向して配置され、前記幅方向における相互の間隔が可変に設けられて、前記被印刷媒体にトリムカットを行う一対のトリムカッタを有し、
前記印刷装置は、前記一対のトリムカッタのうち少なくとも一方を移動させて、前記一対のトリムカッタの前記幅方向における間隔を変更する駆動装置を備える、
ことを特徴とする請求項８記載の印刷装置。
【請求項１２】
前記被印刷媒体に前記印刷を行う印刷装置を備える、
ことを特徴とする請求項１から１１のいずれか１項に記載の印刷装置。
【請求項１３】
印刷装置の印刷方法であって、
前記印刷装置は、被印刷媒体における印刷が行われて印刷物となる領域の複数の角の少なくとも一部をカットするカット装置を備え
前記カットがなされる前の前記被印刷媒体を前記カット装置に搬送する搬送ステップと、
前記搬送ステップにより搬送された前記被印刷媒体の前記印刷物となる領域に対して、前記カット装置により前記カットを行うカットステップと、
を含む。
【請求項１４】
請求項１３に記載の印刷装置の印刷方法において、
前記被印刷媒体は、粘着面を有し前記粘着面と対向する面に前記印刷が行われる基材と、前記粘着面を覆う剥離可能な剥離紙と、を有し、
前記カットステップにおいては、前記被印刷媒体のうちの前記基材のみにトリムカットを行う。
【請求項１５】
請求項１４に記載の印刷装置の印刷方法において、
前記搬送ステップにおいては、前記被印刷媒体を搬送方向に搬送し、
前記印刷装置は、前記被印刷媒体における、前記搬送方向に直交する幅方向の一部分を切断する部分カットを行う部分カット装置を備え、
前記印刷方法は、
前記被印刷媒体における、前記トリムカットが行われる位置に対して前記搬送方向において同じ位置において、前記部分カット装置により、前記部分カットとして、少なくとも、前記被印刷媒体の前記幅方向のうち前記トリムカットが行われる領域を除く領域の全体を切断する部分カットステップを含む。
【請求項１６】
請求項１３に記載の印刷装置の印刷方法において、
前記搬送ステップにおいては、前記被印刷媒体を搬送方向に搬送し、
前記被印刷媒体は、粘着面を有し前記粘着面と対向する面に前記印刷が行われる基材と、前記粘着面を覆う剥離可能な剥離紙と、を有し、
前記印刷装置は、前記被印刷媒体のうちの前記基材のみを切断するハーフカット装置を備え、
前記印刷方法は、
前記被印刷媒体のうちの前記基材のみを切断するハーフカットステップを含み、
前記カットステップにおいては、前記被印刷媒体における、前記ハーフカットステップにおいて前記ハーフカット装置により前記ハーフカットが行われる位置に対して前記搬送方向において同じ位置において前記カットを行う。
【請求項１７】
請求項１４に記載の印刷装置の印刷方法は、
前記カットステップ及び前記ハーフカットステップにおいて、前記被印刷媒体の前記搬送方向における互いに同じ位置において前記被印刷媒体に前記ハーフカット及び前記トリムカットを行うことで連続的に前記印刷物を作成している途中で前記トリムカットを行わない設定がされた場合に、前記被印刷媒体のうち、最後に前記トリムカットを行う設定がされた前記印刷物である第１の印刷物の次に作成される前記印刷物である第２の印刷物となる領域に前記トリムカットが行われないように、前記被印刷媒体のうち前記第１の印刷物となる領域と前記第２の印刷物となる領域との間に余白部分を形成するように制御する制御ステップを含む。
【請求項１８】
請求項１３から１７のいずれか１項に記載の印刷装置の印刷方法において、
前記搬送ステップにおいては、前記被印刷媒体を搬送方向に搬送し、
前記カット装置は、前記印刷媒体の前記搬送方向に直交する幅方向において互いに対向して配置され、前記幅方向における相互の間隔が可変に設けられて、前記被印刷媒体にトリムカットを行う一対のトリムカッタを有し、
前記印刷方法は、
前記一対のトリムカッタのうち少なくとも一方を移動させて、前記一対のトリムカッタの前記幅方向における間隔を前記印刷媒体の前記幅方向の長さに応じて変更する変更ステップを含む。
【請求項１９】
請求項１３から１８のいずれか１項に記載の印刷装置の印刷方法は、
前記被印刷媒体に前記印刷を行う印刷ステップを含む。